(57)【特許請求の範囲】
【請求項１】
浴槽の循環湯の吸込口に浴槽の内側から嵌め付けられる吸込口受けと、この吸込口受けの浴槽内に臨まれるヘッド部を覆うフィルタ機能付きカバーと、このカバーを上記の吸込口受けに空回り自在に止め付ける止め具とで形成され、上記の吸込口受けが、浴槽の外壁に吸込口と連通状に取り付けられる浴槽受け金具に螺合される円筒形の差し込み筒部と、この差し込み筒部の一端に鍔状に形成された上記のヘッド部と、又差し込み筒部の軸心位置に前端を開放させた状態で軸方向に延びて形成されたネジ止め部とで形成され、上記カバーの座面の周縁部に浴槽の内壁に密着させるパッキンが設けられ、このカバーが上記の止め具でネジ止め部の前端に空回り自在にネジ止めされることを特徴とするジェットバスの吸込口取付部品。
【請求項２】
請求項１記載のジェットバスの吸込口取付部品であって、ネジ止め部の前端に、締付け工具と係合する係合部が形成されていることを特徴とするジェットバスの吸込口取付部品。
【発明の詳細な説明】
【０００１】
【発明の属する技術分野】
本発明は、ジェットバス（気泡噴出機能付き浴槽）の吸込口取付部品に関し、更に詳しくは浴槽の循環湯の吸込口に取り付けて使用するジェットバスの吸込口取付部品に関するものである。
【０００２】
【従来の技術】
従来この種の取付部品としては、例えば抜け毛等を捕捉するフィルター機能を持つよう浴槽内に臨む側をメッシュ状に形成したものや、抜け毛等を絡み付かせるためのピンが多数植設されたフィルター部材を備え、浴槽の循環湯の吸込口に取り付け可能に形成したものが知られている（例えば特開平９ー１７３２３２号公報、同６ー３３６７５２号公報参照）。
【０００３】
【発明が解決しようとする課題】
ところでこの種の部品は、循環湯から抜け毛等を取り除き、抜け毛等が循環ポンプに悪影響を与えることを防止でき、又ポンプの吸引力を分散させて入浴者が髪の毛を強く大きな力で吸い込まれ、溺れる事故を防止できるものであるから、この種の浴槽にあっては必需品と言えるものである。しかしながら掃除の煩雑さ等の理由から、従来、入浴者がこの種の部品を吸込口から取り外した状態で入浴することがあった。
【０００４】
従って従来この種の浴槽では、循環湯中の抜け毛等が原因でポンプの円滑な運転が妨げられたり、入浴者が吸込口に髪の毛を吸込まれ、溺れる危険があった。
【０００５】
本発明は、このような従来の実情に鑑み、提案されたものである。
【０００６】
従って本発明の技術的課題は、フィルター機能付きカバーを悪戯して回しても、カバーの取り外しを不可能にし、又循環湯がカバーの裏側を回り込んで吸込口に流れ込むことを防止し、これにより抜け毛等がポンプに悪影響を与えることを防止すると共に、入浴者の髪の毛が吸込口に強く吸い込まれ、溺れる事故を防止できるよう形成したジェットバスの吸込口取付部品を提供することにある。
【０００７】
【課題を解決するための手段】
本発明は、上記の課題を解決するために、次のような技術的手段を採る。
【０００８】
即ち本発明は、図１に示されるように、浴槽１の循環湯の吸込口２に浴槽１の内側から嵌め付けられる吸込口受け１０と、この吸込口受け１０の浴槽１内に臨まれるヘッド部１０ａを覆うフィルタ機能付きカバー１１と、このカバー１１を上記の吸込口受け１０に空回り自在に止め付ける止め具１２とで形成され、上記の吸込口受け１０が、浴槽１の外壁に吸込口２と連通状に取り付けられる浴槽受け金具９に螺合される円筒形の差し込み筒部１０ｂと、この差し込み筒部１０ｂの一端に鍔状に形成された上記のヘッド部１０ａと、又差し込み筒部１０ｂの軸心位置に前端１０ｃ1を開放させた状態で軸方向に延びて形成されたネジ止め部１０ｃとで形成され、上記カバー１１の座面の周縁部１１ａに浴槽１の内壁に密着させるパッキン１４が設けられ、このカバー１１が上記の止め具１２でネジ止め部１０ｃの前端１０ｃ1に空回り自在にネジ止めされることを特徴とする（請求項１）。
【０００９】
ここで、カバー１１が空回り自在にネジ止めされる、とは、カバー１１を悪戯して回しても、止め具１２の締付け状態に影響を与えることがない、ということを意味する。カバー１１を空回り自在にネジ止めする止め具１２としては、例えばＯリング１５やＥリング１６等とネジとを組み合わせたものがある。具体的には、カバー１１のネジ孔１１ｂを介してネジを遊びを持って通し、カバー１１の表側と裏側にＯリング１５等をあてがい、ネジをネジ止め部１０ｃの前端１０ｃ1に締め付けてカバー１１を吸込口受け１０に固定することで達成される。
【００１０】
本発明の場合、吸込口受け１０のヘッド部１０ａは、例えば差し込み筒部１０ｂの一端の径を拡大し、座面１０ａ1側を周方向に窪ませて皿状に形成したり、或いは中空状や無垢に形成することで実現される。なお本発明の場合、吸込口受け１０は、ヘッド部１０ａに通水孔やブレードが形成されているのでも良い。
【００１１】
又この本発明の場合は、ネジ止め部１０ｃの前端１０ｃ1に、締付け工具と係合する係合部１０ｃ2が形成されているのが好ましい（請求項２）。
【００１２】
なぜならこれによると、締付け工具で吸込口受け１０を浴槽受け金具９に、容易且つ迅速に、しかも確実に締付けることができるからである。ここで締付け工具としては、例えばドライバーやスパナ等がある。係合部１０ｃ2は、ドライバーと係合できるようマイナス溝やプラス溝に形成したり、スパナ等と係合できるようネジ止め部１０ｃの前端１０ｃ1をボルト頭状等に形成することで実現される。
【００１３】
【発明の実施の形態】
以下、本発明の好適な一実施形態を添付図面に従って説明する。
【００１４】
本発明は、図１等に示されるように、浴槽１の循環湯の吸込口２に浴槽１の内側から嵌め付けられる例えば真鍮製の吸込口受け１０と、この吸込口受け１０の浴槽１内に臨まれるヘッド部１０ａを覆うフィルタ機能付きカバー１１と、このカバー１１を上記の吸込口受け１０に空回り自在に止め付ける止め具１２とで形成されている。
【００１５】
上記の吸込口受け１０は、浴槽１の外壁に吸込口２と連通状に取り付けられる浴槽受け金具９に螺合される円筒形の差し込み筒部１０ｂと、この差し込み筒部１０ｂの一端に鍔状に形成されたヘッド部１０ａと、又差し込み筒部１０ｂの軸心位置に前端１０ｃ1を開放させた状態で軸方向に延びて形成されたネジ止め部１０ｃとで形成されている。
【００１６】
この実施形態では吸込口２にブッシュ状の受け具１３が取り付けられ、吸込口受け１０は、この受け具１３に差し込まれ、差し込み筒部１０ｂに形成された雄ネジ１０ｂ1が浴槽受け金具９に螺合するよう形成されている。
【００１７】
又ヘッド部１０ａは、差し込み筒部１０ｂの一端の径が拡大され、座面１０ａ1側を周方向に窪ませて皿状に形成されている。
【００１８】
ネジ止め部１０ｃは、その前端１０ｃ1に、締付け工具としての例えばドライバーと係合する係合部１０ｃ2がマイナス溝状に形成されている。又このネジ止め部１０ｃの前端１０ｃ1には、上記の止め具１２が螺合するよう雌ネジ１０ｃ3が形成されている。
【００１９】
上記のカバー１１は、座面の周縁部１１ａに、浴槽１の内壁と密着するパッキン１４が設けられている。又このカバー１１の中心部には、図１２等に示されるように、止め具１２としてのネジが遊びを持って通されるネジ孔１１ｂが開口されている。止め具１２は、ネジ止め部１０ｃの雌ネジ１０ｃ3に、カバー１１を介して螺合され、これによってカバー１１は空回り自在に取り付けられる。なおカバー１１の前面や周側面には、この実施形態では多数のフィルター孔１１ｃが形成されている。
【００２０】
又上記の止め具１２は、この実施形態ではＯリング１５とＥリング１６を備えたネジで構成されている。Ｏリング１５とＥリング１６は、カバー１１の厚さより僅かに大きく間隔をあけて、止め具１２の軸に取り付けられている。
【００２１】
次にこの本発明品の取付例と循環湯の流れ等を説明する。
【００２２】
先ず作業者は、吸込口受け１０を浴槽１の内側から、吸込口２の受け具１３に差し込み、ネジ止め部１０ｃの前端１０ｃ1の係合部１０ｃ2に、例えばドライバーの先端を係合させ、吸込口受け１０を浴槽受け金具９に螺合させ、取り付ける。
【００２３】
次に作業者は、カバー１１のネジ孔１１ｂを介してカバー１１に止め具１２を取り付け、止め具１２を例えばドライバーで回し、カバー１１を吸込口受け１０に締め付けて固定する。これにより吸込口受け１０のヘッド部１０ａがカバー１１で覆われ、カバー１１はパッキン１４が浴槽１の内壁に密着した状態で取り付けられる。
【００２４】
而して本発明品の場合は、入浴者がカバー１１を悪戯して回しても、カバー１１はＯリング１５とＥリング１６との間で止め具１２の軸を中心に空回りする。又循環湯は、カバー１１のフィルター孔１１ｃから、吸込口受け１０の差し込み筒部１０ｂ内に流れ込み、浴槽受け金具９を経て流出する。循環湯中の抜け毛等は、カバー１１のフィルター孔１１ｃ等で捕捉され除去される。
【００２５】
【発明の効果】
以上説明したように本発明は、カバーに設けたパッキンで循環湯がカバーの裏側を回り込んで吸込口に流れ込むことを防止できるため、入浴者が髪の毛をカバーの裏側から巻き込まれることを防止できる。
【００２６】
又この本発明の場合は、カバーを悪戯して回しても空回りし、取り外すことができないから、カバーのフィルター機能を維持でき、ポンプの吸引力を分散でき、入浴者が髪の毛を吸い込まれ、溺れる事故を防止できる。
【図面の簡単な説明】
【図１】  本発明の好適な一実施形態を示す分解断面図である。
【図２】  図１に係る本発明部品の取付状態時の要部縦断面図である。
【図３】  図１に係る本発明部品の取付状態時の要部正面図である。
【符号の説明】
１    浴槽
２    吸込口
９ 浴槽受け金具
１０ 吸込口受け
１０ａ ヘッド部
１０ｂ 差し込み筒部
１０ｃ ネジ止め部
１０ｃ１ 前端
１１ カバー
１１ａ 周縁部
１２ 止め具
１４ パッキン
【図１】
0004433616.tif 000002
【図２】
0004433616.tif 000003
【図３】
0004433616.tif 000004